(57)【要約】【課題】カフ巻付機構の構造を簡易なものとするとともに、被験者の上腕の形状に応じて均一な巻付け圧力となるようにカフを上腕に巻き付けることを可能とする、カフ巻付機構を有する血圧測定装置を提供する。【解決手段】ピン２０１のＬ１方向への移動により、中枢側と末梢側との間における引張り力のバランスの平衡状態を保つようにカフ本体部１０１に対してカフの他端１００Ｂ側が適宜回動しながらカフ本体１０１が円錐形状を形成するように、上腕１０の形状に応じて均一な巻付け圧力となるように、カフが上腕１０に巻き付けられる。【選択図】図１３
2010035696.tif 000002
【特許請求の範囲】
【請求項１】
被験者の上腕に巻き付けられる帯状のカフが収容される上腕挿入部を備える血圧測定装置であって、
前記カフは、挿入された被験者の上腕に巻き付けられるようにカフ本体が円筒形状に配置され、その一端側は移動不可能なように固定され、その他端側は、前記カフ本体部の円筒形状の内径を縮小または拡大可能なようにスライド移動可能に設けられ、
前記カフの前記他端側には、前記カフの前記他端側に係合し、前記他端側をスライド移動させるためのスライド移動機構が設けられ、
前記スライド移動機構と前記カフの前記他端側との係合においては、前記カフ本体部に対して前記カフの前記他端側が回動可能なように連結される、血圧測定装置。
【請求項２】
前記カフの前記他端には、前記カフ本体部の円筒形状の内径が縮小する方向への前記他端の移動方向に向かって凸形状となる当接面が設けられ、
前記スライド移動機構には、前記当接面に当接する当接部材が設けられる、請求項１に記載の血圧測定装置。
【請求項３】
前記カフの前記他端には、前記カフ本体部の円筒形状の内径が縮小する方向への前記他端の移動方向に向かって凸形状となる弓状の係合孔が設けられ、前記係合孔の凸形状側の開口端面により前記当接面が規定され、
前記係合孔に前記当接部材が挿通される、請求項２に記載の血圧測定装置。
【請求項４】
前記スライド移動機構には、前記カフ本体部の円筒形状の内径が縮小する方向への前記他端の移動方向に向かって凸形状となる弓状の当接面が設けられ、
前記カフの前記他端には、前記当接面に当接する当接部材が設けられる、請求項１に記載の血圧測定装置。
【請求項５】
前記スライド移動機構には、前記カフ本体部の円筒形状の内径が縮小する方向への前記他端の移動方向に向かって凸形状となる弓状の係合孔が設けられ、前記係合孔の凸形状側の開口端面により前記当接面が規定され、
前記係合孔に前記当接部材が挿通される、請求項４に記載の血圧測定装置。
【請求項６】
前記カフの前記他端には、前記カフ本体部の円筒形状の内径が拡大する方向への前記他端の移動方向に向かって凸形状となる当接面が設けられ、
前記スライド移動機構には、前記当接面に当接する当接部材が設けられる、請求項１に記載の血圧測定装置。
【請求項７】
前記カフの前記他端には、前記カフ本体部の円筒形状の内径が拡大する方向への前記他端の移動方向に向かって凸形状となる孔が設けられ、前記孔の凸形状側の開口端面により前記当接面が規定され、
前記孔に前記当接部材が挿通される、請求項６に記載の血圧測定装置。
【請求項８】
前記スライド移動機構には、前記カフ本体部の円筒形状の内径が拡大する方向への前記他端の移動方向に向かって凸形状となる当接面が設けられ、
前記カフの前記他端には、前記当接面に当接する当接部材が設けられる、請求項１に記載の血圧測定装置。
【請求項９】
前記スライド移動機構には、前記カフ本体部の円筒形状の内径が拡大する方向への前記他端の移動方向に向かって凸形状となる孔が設けられ、前記孔の凸形状側の開口端面により前記当接面が規定され、
前記孔に前記当接部材が挿通される、請求項８に記載の血圧測定装置。
【発明の詳細な説明】
【技術分野】
【０００１】
本発明は、血圧測定装置（以下、単に血圧計とも言う）に関し、特に、カフを上腕に対して機械的に巻き付けるカフ巻付機構を備えた上腕式の血圧測定装置に関する。
【背景技術】
【０００２】
通常、血圧値の測定は、生体内部に位置する動脈を圧迫するための生体圧迫用流体袋を備えたカフを生体の体表面に巻き付け、その後、生体圧迫用流体袋を膨張・収縮させることによって動脈内に生じる動脈圧脈波の検出を行ない、これによって血圧値の測定を行なう。
【０００３】
従来の上腕式の血圧計においては、上腕へのカフの巻き付け作業を被験者等の手に委ねていたため、測定毎にカフの巻き付け強さにばらつきが生じ、結果として測定される血圧値にもばらつきが生じていた。
【０００４】
このため、近年においては、機械的に上腕へカフを巻き付けることが可能なカフ巻付機構を備えた血圧計が普及しつつある。このカフ巻付機構を搭載した血圧計においては、血圧計の所定位置に上腕を軸方向から挿入可能な上腕挿入部が設けられ、被験者はこの上腕挿入部に形成された中空部に上腕を軸方向から挿入するだけの作業により、カフが上腕に巻き付けられ、自動的に血圧値の測定が行なわれる。当該血圧計においては、一定の巻き付け強さが測定毎に再現されるようになるため、安定した測定精度が実現されるばかりでなく、煩雑な巻き付け作業が不要になるというメリットを得ることが期待できる。
【０００５】
上腕圧迫用流体袋を内包し略円筒状に曲成されたカフの一端を回転ドラム等によって引張することによりカフの内径を縮小させて上腕に巻き付ける機構を採用したものとして、たとえば特開２００５−２３７４３２号公報（特許文献１）、特開２００４−２１５８４７号公報（特許文献２）、特開２０００−２１７７９４号公報（特許文献３）、および、特開２０００−６０８０８号公報（特許文献４）等が挙げられる。
【０００６】
また、他の機構として、上腕圧迫用流体袋の外側に径方向に弾性変形可能に構成された湾曲弾性板を配置するとともにこの湾曲弾性板の外周に帯状の部材を巻き付け、この帯状の部材を接線方向に引張することによって湾曲弾性板の内径を縮小させて上腕圧迫用流体袋を上腕に押し付けて巻き付ける機構を採用したものとして、たとえば特開平１０−３１４１２３号公報（特許文献５）等が挙げられる。
【０００７】
上記特許文献１から特許文献５に開示のカフ巻付機構においては、いずれもカフが上腕に巻き付けられる前の状態（すなわち、カフ巻付機構によるカフの巻き付けがなされていない状態）において、上腕挿入部に設けられた中空部の形状が円柱状であり、カフ巻付機構が作動することによって上腕の形状にあわせてカフを変形させて、上腕に隙間なくフィットするように構成されている。
【特許文献１】特開２００５−２３７４３２号公報
【特許文献２】特開２００４−２１５８４７号公報
【特許文献３】特開２０００−２１７７９４号公報
【特許文献４】特開２０００−０６０８０８号公報
【特許文献５】特開平１０−３１４１２３号公報
【発明の開示】
【発明が解決しようとする課題】
【０００８】
しかしながら、多くの場合、上腕の形状は中枢側から末梢側に向かうに連れて徐々に細くなる形状であり、上述のように中空部が円柱状に構成された血圧計を用いた場合には、カフ巻付機構によってカフが上腕に対して巻き付けられるまでの間にカフが変形することによって、中空部を円柱状から円錐台状に変化させる必要があるが、上記各特許文献に開示されるカフ巻付機構は、いずれもその機構が複雑なものである。
【０００９】
さらに、特許文献１に開示されるカフ巻付機構においては、加圧前にカフの巻付け状態が固定されてしまうために、実際の加圧時には均一に上腕を圧迫できない場合が生じ得ることが懸念される。また、特許文献５に開示されるカフ巻付機構においては、カフの幅に比較して細い帯状のテープを用いて、カフを円柱状から円錐台状に変化させているために、加圧時にカフにねじれが発生し均一に圧迫できない場合が生じ得ることが懸念される。
【００１０】
したがって、本発明は、上述の課題を解決するためになされたものであり、カフ巻付機構の構造を簡易なものとするとともに、被験者の上腕の形状に応じて均一な巻付け圧力となるようにカフを上腕に巻き付けることを可能とする、カフ巻付機構を有する血圧測定装置を提供することにある。
【課題を解決するための手段】
【００１１】
この発明に基づいた血圧測定装置においては、被験者の上腕に巻き付けられる帯状のカフが収容される上腕挿入部を備える血圧測定装置であって、上記カフは、挿入された被験者の上腕に巻き付けられるようにカフ本体が円筒形状に配置され、その一端側は移動不可能なように固定され、その他端側は、上記カフ本体部の円筒形状の内径を縮小または拡大可能なようにスライド移動可能に設けられ、上記カフの上記他端側には、上記カフの上記他端側に係合し、上記他端側をスライド移動させるためのスライド移動機構が設けられ、上記スライド移動機構と上記カフの上記他端側との係合においては、上記カフ本体部に対して上記カフの上記他端側が回動可能なように連結される。
【００１２】
この発明に基づいた血圧計用カフによれば、スライド移動機構により、カフの他端側をカフ本体部の円筒形状の内径を縮小する方向にスライド移動させた場合には、被験者の上腕にカフ本体部が巻き付くことになる。この際、上腕の中枢側と末梢側との太さの相違から、上腕の中枢側が先に巻き付き、末梢側とカフ本体部との間には隙間が生じる状態となる。
【００１３】
この状態からさらにカフの他端側をスライド移動させると、スライド移動機構からの引張り力は、中枢側よりも緩い巻き付き状態である末梢側の方が大きくなり、引張り力のバランスが、中枢側と末梢側との間で崩れることになる。このとき、本発明の構成においては、スライド移動機構とカフの他端側とは、カフ本体部に対してカフの他端側が回動可能なように連結されているため、中枢側と末梢側との間における引張り力のバランスの平衡を保つために、カフの他端側が中枢側に回動する。
【００１４】
その結果、上腕の中枢側とカフ本体部との間の隙間と、上腕の末梢側とカフ本体部との間の隙間が等しくなる。その後の巻き付き動作においても、中枢側と末梢側との間における引張り力のバランスの平衡状態を保つようにカフ本体部に対してカフの他端側が適宜回動しながらカフが円錐形状を形成するように、上腕の形状に応じて均一な巻付け圧力となるように、カフが上腕に巻き付けられることになる。これにより、血圧測定時に上腕を均一に圧迫することが可能となり、血圧測定装置における血圧測定精度の向上を図ることが可能になる。
【００１５】
また、カフの他端側をカフ本体部の円筒形状の内径を拡大する方向にスライド移動させた場合には、被験者の上腕巻き付いたカフ本体部が緩められることになるが、この際、そのまま緩めたのでは円錐形状のままとなり、再度血圧測定を行なう際には不都合が生じることになる。しかし、本発明においては、カフ本体部に対してカフの他端側が回動可能なように連結されているため、カフの他端側を末梢側に回動させるようにすることで、カフ本体部を初期状態の円筒形状に戻すことを可能とする。
【００１６】
また、上記血圧測定装置において、上記カフの上記他端には、上記カフ本体部の円筒形状の内径が縮小する方向への上記他端の移動方向に向かって凸形状となる当接面が設けられ、上記スライド移動機構には、上記当接面に当接する当接部材が設けられる。また、上記カフの上記他端には、上記カフ本体部の円筒形状の内径が縮小する方向への上記他端の移動方向に向かって凸形状となる弓状の係合孔が設けられ、上記係合孔の凸形状側の開口端面により上記当接面が規定され、上記係合孔に上記当接部材が挿通される。
【００１７】
この構成により、当接面に沿って当接部材を移動させることで、カフ本体部に対してカフの他端側が回動可能となる。その結果、カフを上腕に巻き付ける際に、中枢側と末梢側との間における引張り力のバランスの平衡を保つために、カフ本体部に対してカフの他端側が回動し、カフが円錐形状を形成するようにして、上腕の形状に応じて均一な巻付け圧力となるようにカフを上腕に巻き付けることを可能とする。
【００１８】
また、上記血圧測定装置において、上記スライド移動機構には、上記カフ本体部の円筒形状の内径が縮小する方向への上記他端の移動方向に向かって凸形状となる弓状の当接面が設けられ、上記カフの上記他端には、上記当接面に当接する当接部材が設けられる。また、上記スライド移動機構には、上記カフ本体部の円筒形状の内径が縮小する方向への上記他端の移動方向に向かって凸形状となる弓状の係合孔が設けられ、上記係合孔の凸形状側の開口端面により上記当接面が規定され、上記係合孔に上記当接部材が挿通される。
【００１９】
この構成により、カフを上腕に巻き付ける際には、当接面に沿って当接部材を移動させることで、カフ本体部に対してカフの他端側が回動可能となる。その結果、カフを上腕に巻き付ける際に、中枢側と末梢側との間における引張り力のバランスの平衡を保つために、カフ本体部に対してカフの他端側がバランスを取るように回動し、カフが円錐形状を形成するようにして、上腕の形状に応じて均一な巻付け圧力となるようにカフを上腕に巻き付けることを可能とする。
【００２０】
また、上記血圧測定装置において、上記カフの上記他端には、上記カフ本体部の円筒形状の内径が拡大する方向への上記他端の移動方向に向かって凸形状となる当接面が設けられ、上記スライド移動機構には、上記当接面に当接する当接部材が設けられる。また、上記カフの上記他端には、上記カフ本体部の円筒形状の内径が縮小する方向への上記他端の移動方向に向かって凸形状となる孔が設けられ、上記孔の凸形状側の開口端面により上記当接面が規定され、上記孔に上記当接部材が挿通される。
【００２１】
この構成により、カフの他端側をカフ本体部の円筒形状の内径を拡大する方向にスライド移動させて、カフの上腕への巻き付きを解除する際には、カフ本体部に対してカフの他端側が回動可能なように連結されているため、当接面に沿って当接部材を移動し、カフの他端側を末梢側に回動させるようにすることで、カフ本体部を初期状態の円筒形状に戻すことが可能となる。
【００２２】
また、上記血圧測定装置において、上記スライド移動機構には、上記カフ本体部の円筒形状の内径が拡大する方向への上記他端の移動方向に向かって凸形状となる当接面が設けられ、上記カフの上記他端には、上記当接面に当接する当接部材が設けられる。また、上記スライド移動機構には、上記カフ本体部の円筒形状の内径が縮小する方向への上記他端の移動方向に向かって凸形状となる孔が設けられ、上記孔の凸形状側の開口端面により上記当接面が規定され、上記孔に上記当接部材が挿通される。
【００２３】
この構成により、カフの他端側をカフ本体部の円筒形状の内径を拡大する方向にスライド移動させて、カフの上腕への巻き付きを解除する際には、カフ本体部に対してカフの他端側が回動可能なように連結されているため、当接面に沿って当接部材が移動し、カフの他端側を末梢側に回動させるようにすることで、カフ本体部を初期状態の円筒形状に戻すことが可能となる。
【発明の効果】
【００２４】
この発明に基づいた血圧測定装置によれば、スライド移動機構とカフの他端側との係合において、カフ本体部に対してカフの他端側が回動可能なように連結させるという簡単なカフ巻付機構を採用することにより、カフを上腕に巻き付ける際には、上腕の形状に応じて均一な巻付け圧力となるようにカフを上腕に巻き付けることが可能となる。
【００２５】
これにより、一定の巻き付け強さが測定毎に再現されるようになるため、安定した測定精度が実現されるばかりでなく、煩雑な巻き付け作業が不要になるというメリットを得ることができる。
【発明を実施するための最良の形態】
【００２６】
以下、本発明の各実施の形態に基づいた血圧測定装置について説明する。なお、以下の説明において、同一または相当する部分には同一の参照符号を付し、その説明を繰返さない場合がある。また、生体の血圧測定を行なう血圧測定装置の血圧測定方式には、代表的なものとして、オシロメトリック式、コロトコフ式が挙げられるが、本発明の特徴は、血圧計用カフのカフ巻付機構にあることから、血圧測定方式に限定されるものではない。
【００２７】
（実施の形態１）
以下、この発明に基づいた実施の形態１における血圧測定装置について、図１から図１３を参照して説明する。なお、図１は、本実施の形態における血圧測定装置の全体構成を示す斜視図であり、図２は、本実施の形態における血圧測定装の使用状態を示す側面図である。また、図３および図４は、本実施の形態における血圧測定装置に採用されるカフおよびカフ巻付機構の構成を示す第１および第２の横断面図であり、図５は、本実施の形態における血圧測定装置に採用されるカフおよびカフ巻付機構の構成を示す平面図である。また、図６から図１３は、本実施の形態における血圧測定装置に採用されるカフおよびカフ巻付機構の巻付け動作を説明するための平面図および概念的な斜視図である。
【００２８】
（血圧測定装置１の全体構成）
図１および図２を参照して、本実施の形態における血圧測定装置は、本体１の上面側に、血圧測定値等を表示する表示部２と、被験者の上腕に巻き付けられる帯状のカフが収容される上腕挿入部３と、血圧測定値等を印字し出力するプリンタ部４とを備えている。表示部２は、本体１の左側後方に配置されている。
【００２９】
上腕挿入部３には、上腕を挿入するための円筒状の開口部３０が設けられ、この開口部３０から被験者Ｍの腕（本実施の形態の形態では、被験者Ｍの右腕）を挿入し、内部に配設されたカフ１００により上腕が圧迫されることになる。
【００３０】
（カフおよびスライド移動機構）
次に、図３から図５を参照しながら、本実施の形態におけるカフ１００およびスライド移動機構２００について説明する。カフ１００は、上腕挿入部３から挿入される被験者Ｍの上腕に巻き付けられるように円筒形状のカフ本体１０１を有し、カフ１００の一端１００Ａ側は移動不可能なように本体側の固定領域ＳＩに固定されている。カフ１００はその内部に生体圧迫用流体袋が設けられているが、ここでの図示は省略する。
【００３１】
カフ１００の他端１００Ｂ側は、カフ本体部１０１の円筒形状の内径を縮小または拡大可能なように、固定領域ＳＩを内側に配置して、円筒形状の接線方向（図中Ｌ方向）にスライド移動可能に設けられている。また、カフ１００の他端１００Ｂ側には、カフ１００の他端１００Ｂ側に係合し、他端１００Ｂ側をスライド移動（図中Ｌ方向）させるためのスライド移動機構２００が設けられている。
【００３２】
カフ１００の他端１００Ｂの中心領域には、カフ本体部１０１の円筒形状の内径が縮小する方向（図中Ｌ１方向）への他端１００Ｂの移動方向に向かって凸形状となる弓状の係合孔１１０が設けられ、この係合孔１１０の凸形状側の開口端面により当接面１１０ａが規定される。
【００３３】
スライド移動機構２００は、係合孔１１０に挿通される当接部材としてのピン２０１と、このピン２０１を支持するベース部材２０２とを有している。ピン２０１は、ソレノイド等を用いて、ベース部材２０２に対してその軸方向に沿って摺動移動可能に設けられている。ベース部材２０２はスライダ２０３により図中Ｌ方向に沿ってスライド移動可能に支持され、スライダ２０３の端部にはベース部材２０２を移動させるために用いられる駆動装置２０４が設けられている。スライダ２０３とベース部材２０２とには、一例として、ボールネジ機構を用いる。
【００３４】
図３に示すように、カフ１００の他端１００Ｂに設けられた係合孔１１０にピン２０１が挿通されることにより、スライド移動機構２００がカフ１００の他端１００Ｂに係合されることになる。これにより、カフ本体部１０１に対してカフ１００の他端１００Ｂ側が回動（θ方向）可能なように連結されることになる。カフ１００の他端１００Ｂをカフ本体部１０１の円筒形状の内径が縮小する方向（図中Ｌ１方向）へ移動させた場合には、ピン２０１の軸部２０１ａが係合孔１１０の当接面１１０ａに当接する。
【００３５】
図４に示すように、血圧測定装置１による被験者Ｍの血圧測定時には、係合孔１１０に沿ったカフ１００の他端１００Ｂの移動を阻止する必要があるため、ピン２０１を下降させて、フランジ２０１ｂとベース部材２０２とによりカフ１００の他端１００Ｂを挟み込むことを可能としている。
【００３６】
（巻付け動作）
次に、図６から図１３を参照して、本実施の形態における血圧測定装置を用いた血圧測定に至るまでのカフの巻付け動作について説明する。なお、図６と図７、図８と図９、図１０と図１１、図１２と図１３は、それぞれ同一ステップにおけるカフ１００の上腕１０への巻き付き状態を示す平面図と概念的な斜視図である。
【００３７】
図６および図７を参照して、血圧測定前の初期状態を示し、円筒形状のカフ本体部１０１の内部に上腕１０を通した状態を示している。スライド移動機構２００のピン２０１は、係合孔１１０の中央に位置している。この状態から、スライド移動機構２００を用いてピン２０１をＬ１方向に徐々に移動させる。
【００３８】
図８および図９を参照して、ピン２０１のＬ１方向への移動によりカフ本体部１０１の円筒形状の内径が徐々に縮小し、被験者Ｍの上腕１０へのカフ本体部１０１の巻き付きが開始される。この際、上腕１０の中枢側と末梢側との太さの相違から、上腕１０の中枢側が先に巻き付き、上腕１０の中枢側とカフ本体部１０１との間の領域Ｐ１０には隙間がなくなる。一方、末梢側とカフ本体部１０１との間の領域Ｐ２０には隙間が残存する状態となる。この状態に至るまでは、上腕１０の中枢側と末梢側とには、バランス良く引張り力Ｐが加わっている。
【００３９】
図１０および図１１を参照して、ピン２０１のＬ１方向への移動により、上記の状態からさらにカフ１００の他端１００Ｂ側をスライド移動させると、スライド移動機構２００からの引張り力は、中枢側よりも緩い巻き付き状態である末梢側の方が大きくなり、引張り力のバランスが、中枢側と末梢側との間で崩れることになる。
【００４０】
このとき、本実施の形態の構成においては、スライド移動機構２００とカフ１００の他端１００Ｂ側とは、カフ本体部１０１に対してカフ１００の他端１００Ｂ側が回動可能なように連結されているため、中枢側と末梢側との間における引張り力のバランスの平衡を保つために、係合孔１１０の当接面１１０ａがピン２０１に当接した状態で、当接面１１０ａの弓形状に沿ってカフ１００の他端側１００Ｂが中枢側（θ１）方向に回動する。その結果、上腕１０の中枢側とカフ本体部との間の領域Ｐ１０の隙間と、上腕の末梢側とカフ本体部との間の領域Ｐ２０の隙間が等しくなる。
【００４１】
図１２および図１３を参照して、引き続きピン２０１のＬ１方向への移動により、中枢側と末梢側との間における引張り力のバランスの平衡状態を保つようにカフ本体部１０１に対してカフ１００の他端１００Ｂ側が適宜回動しながらカフ本体１０１が円錐形状を形成し、上腕１０の形状に応じて均一な巻付け圧力となるように、カフ１００が上腕１０に巻き付けられることになる。
【００４２】
（作用・効果）
以上、本実施の形態における血圧測定装置１によれば、スライド移動機構２００とカフ１００の他端１００Ｂ側との係合において、カフ本体部１０１に対してカフ１００の他端１００Ｂ側が回動可能なように連結させるという簡単なカフ巻付機構を採用することにより、カフ１００を上腕に巻き付ける際には、上腕１０の形状に応じて均一な巻付け圧力となるようにカフ１００を上腕１０に巻き付けることができる。
【００４３】
その結果、一定の巻き付け強さが測定毎に再現されるようになるため、安定した測定精度が実現されるばかりでなく、煩雑な巻き付け作業が不要になるというメリットを得ることができる。
【００４４】
（実施の形態２）
次に、この発明に基づいた実施の形態２における血圧測定装置について、図１４および図１５を参照して説明する。なお、図１４は、本実施の形態における血圧測定装置のカフの他端とスライド移動機構との連結部を示す部分拡大平面図であり、図１５はその断面図である。
【００４５】
上記実施の形態１においては、カフ１００の他端１００Ｂ側に係合孔１１０を設け、スライド移動機構２００側にピン２０１を設ける場合について説明したが、本実施の形態においては、スライド移動機構側に当接面を構成する係合孔を設け、カフの他端側にピンを設けるようにしたものである。
【００４６】
（連結部の構造）
図１４および図１５を参照して、本実施の形態におけるカフ３００も被験者Ｍの上腕に巻き付けられるように円筒形状のカフ本体３０１を有し、カフ３００の一端側は移動不可能なように本体側の固定領域に固定されている。カフ３００の他端３００Ｂ側の中心領域には、実施の形態１と同様のピン３０２が設けられている。このピン３０２にも、血圧測定装置１による被験者Ｍの血圧測定時に、後述のプレート４０５に対してカフ３００の他端３００Ｂの移動を阻止するため、ピン３０２を下降させる機構を内在させることは可能である。
【００４７】
スライド移動機構４００は、ピン３０２を挿通させるため、カフ本体部３０１の円筒形状の内径が縮小する方向への他端３００Ｂの移動方向に向かって凸形状となる弓状の係合孔４１０が設けられるプレート４０５を有している。係合孔４１０の凸形状側の開口端面により当接面４１０ａが規定される。
【００４８】
プレート４０５は、このプレート４０５を支持するベース部材４０２を有している。ベース部材４０２はスライダ４０３により図中Ｌ方向に沿ってスライド移動可能に支持され、スライダ４０３の端部にはベース部材４０２を移動させるために用いられる駆動装置４０４が設けられている。
【００４９】
（作用・効果）
上記構成からなるカフ３００およびスライド移動機構４００を用いた場合であっても、上記実施の形態１の場合と同様に、スライド移動機構４００とカフ３００の他端３００Ｂ側との係合において、カフ本体部３０１に対してカフ３００の他端３００Ｂ側が回動可能なように連結させることができ、カフ３００を上腕に巻き付ける際には、上腕１０の形状に応じて均一な巻付け圧力となるようにカフ３００を上腕１０に巻き付けることができる。
【００５０】
その結果、一定の巻き付け強さが測定毎に再現されるようになるため、安定した測定精度が実現されるばかりでなく、煩雑な巻き付け作業が不要になるというメリットを得ることができる。
【００５１】
（実施の形態３）
以下、この発明に基づいた実施の形態３における血圧測定装置について、図１６から図２２を参照して説明する。なお、図１６は、本実施の形態における血圧測定装置のカフの他端側に設けられる係合孔の形状を示す平面図および動作原理を説明する第１図であり、図１７から図１９は動作原理を説明するための第２から第４図である。
【００５２】
上記実施の形態１および２においては、カフの巻き付け時における動作原理を説明したものであるが、本実施の形態においては、血圧測定終了後におけるカフを緩める場合の動作原理を示すものである。
【００５３】
（連結構造）
図１６に示すように、カフ５００の他端５００Ｂ側に係合孔５１０が設けられている。この係合孔５１０は、カフ５００の他端５００Ｂの中心領域に設けられ、カフ本体部５０１の円筒形状の内径が縮小する方向（図中Ｌ１方向）への他端５００Ｂの移動方向に向かって凸形状となる弓状の当接面５１０ａと、カフ本体部５０１の円筒形状の内径が拡大する方向（図中Ｌ２方向）への他端５００Ｂの移動方向に向かって全体としては凸形状となる山形の当接面５１０ｄとが規定される孔形状である。
【００５４】
当接面５１０ｄは、全体としては、図中のＬ２方向に凸となる形態を有しているが、当接面５１０ａの両端部からは、内側に向かう湾曲部５１０ｂと、頂部に半円形の円弧部５１０ｃとを備えている。
【００５５】
（カフの巻き付け時における動作原理／カフを緩める場合の動作原理）
次に、図１６から図１９を参照して、カフの巻き付け時における動作原理と、血圧測定終了後におけるカフを緩める場合の動作原理について説明する。まず、図１６および図１７を参照して、カフの巻き付け時における動作原理を説明する。
【００５６】
（カフの巻き付け時における動作原理）
図１６の示す状態は、図８および図９に示した状態と同じであり、ピン２０１のＬ１方向への移動によりカフ本体部５０１の円筒形状の内径が徐々に縮小し、被験者Ｍの上腕にカフ本体部が巻き付く初期状態である。
【００５７】
図１７に示す状態は、図１２および図１３に示した状態と同じであり、中枢側と末梢側との間における引張り力のバランスの平衡を保つために、係合孔５１０の当接面５１０ａがピン２０１に当接した状態で、当接面５１０ａの弓形状に沿ってカフ５００の他端側５００Ｂが中枢側（θ１）方向に回動した状態である。これにより、カフの巻き付き時には、上記各実施の形態と同様の作用効果を得ることができる。
【００５８】
（カフを緩める場合の動作原理）
次に、図１８および図１９を参照して、カフを緩める場合の動作原理を説明する。図１８に示すように、ピン２０１を実施の形態１と同様の機構を有するスライド移動機構を用いてＬ２方向へ移動させる。これにより、ピン２０１は、湾曲部５１０ｂに当接する。さらに、ピン２０１をＬ２方向へ移動させると、ピン２０１により湾曲部５１０ｂがＬ２方向に押され、カフ本体部５０１の円筒形状の内径が徐々に拡大すると同時に、カフ５００の他端側５００Ｂが末梢側（θ２）方向に回動する。その後、ピン２０１は円弧部５１０ｃに位置する。これにより、カフ５００のカフ本体部５０１は、円錐形状から初期状態である円筒形状に戻されることになる。
【００５９】
（作用・効果）
以上、本実施の形態によれば、カフ５００の他端５００Ｂ側をカフ本体部５０１の円筒形状の内径を拡大する方向にスライド移動させて、カフ５００の上腕１０への巻き付きを解除する際には、カフ本体部５０１に対してカフ５００の他端５００Ｂ側が回動可能なように連結されているため、当接面５１０ｄに沿ってピン２０１を移動させ、カフ５００の他端５００Ｂ側を末梢側に回動（θ２方向）させることにより、カフ本体部５０１を初期状態の円筒形状に戻すことが可能となる。
【００６０】
なお、係合孔５１０に設けられる当接面５１０ｄの形状は、図１６に示す形状に限らず、係合孔５１０に設けられる当接面の形状として、図２０に示す円弧形状５２０、図２１に示す三角形状５３０、図２２に示す斜辺が内側に湾曲した三角形状５４０を採用することも可能である。
【００６１】
（実施の形態４）
次に、この発明に基づいた実施の形態４における血圧測定装置について、図２３および図２４を参照して説明する。なお、図２３は、本実施の形態における血圧測定装置のカフの他端とスライド移動機構との連結部を示す部分拡大平面図であり、図２４はその断面図である。
【００６２】
上記実施の形態３においては、カフ５００の他端５００Ｂ側に係合孔５１０を設け、スライド移動機構２００側にピン２０１を設ける場合について説明したが、本実施の形態においては、スライド移動機構側に当接面を構成する係合孔を設け、カフの他端側にピンを設けるようにしたものである。
【００６３】
（連結構造）
図２３および図２４を参照して、本実施の形態におけるカフ６００も、被験者Ｍの上腕に巻き付けられるように円筒形状のカフ本体６０１を有し、カフ６００の一端側は移動不可能なように本体側の固定領域に固定されている。カフ６００の他端６００Ｂ側の中心領域には、実施の形態３と同様のピン６０２が設けられている。
【００６４】
スライド移動機構７００は、ピン６０２を挿通させるため、上記実施の形態３に示した係合孔５１０と同様の形状を有する係合孔７１０が設けられるプレート７０５を有している。
【００６５】
プレート７０５は、このプレート７０５を支持するベース部材７０２を有している。ベース部材７０２はスライダ７０３により図中Ｌ方向に沿ってスライド移動可能に支持され、スライダ７０３の端部にはベース部材７０２を移動させるために用いられる駆動装置７０４が設けられている。
【００６６】
（作用・効果）
上記構成からなるカフ６００およびスライド移動機構７００を用いた場合であっても、上記実施の形態３の場合と同様に、スライド移動機構７００とカフ６００の他端６００Ｂ側との係合において、カフ本体部６０１に対してカフ６００の他端６００Ｂ側が回動可能なように連結されていることから、当接面７１０ｄに沿ってピン６０２を移動させ、カフ６００の他端６００Ｂ側を末梢側に回動（θ２方向）させることにより、カフ本体部６０１を初期状態の円筒形状に戻すことが可能となる。
【００６７】
なお、上記各実施の形態においては、当接面として抜き穴の端面部分を用いるようにしているが、必ずしもこの構成に限らず、板状部材に設けられた側壁の側面を当接面として用いる構成の採用も可能である。また、上記各実施の形態に示す構成を適宜組み合わせて用いることも可能である。
【００６８】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【図面の簡単な説明】
【００６９】
【図１】実施の形態１における血圧測定装置の全体構成を示す斜視図である。
【図２】実施の形態１における血圧測定装の使用状態を示す側面図である。
【図３】実施の形態１における血圧測定装置に採用されるカフおよびカフ巻付機構の構成を示す第１の横断面図である。
【図４】実施の形態１における血圧測定装置に採用されるカフおよびカフ巻付機構の構成を示す第２の横断面図である。
【図５】実施の形態１における血圧測定装置に採用されるカフおよびカフ巻付機構の構成を示す平面図である。
【図６】実施の形態１における血圧測定装置に採用されるカフおよびカフ巻付機構の巻付け動作を説明するための第１平面図である。
【図７】実施の形態１における血圧測定装置に採用されるカフおよびカフ巻付機構の巻付け動作を説明するための第１斜視図である。
【図８】実施の形態１における血圧測定装置に採用されるカフおよびカフ巻付機構の巻付け動作を説明するための第２平面図である。
【図９】実施の形態１における血圧測定装置に採用されるカフおよびカフ巻付機構の巻付け動作を説明するための第２斜視図である。
【図１０】実施の形態１における血圧測定装置に採用されるカフおよびカフ巻付機構の巻付け動作を説明するための第３平面図である。
【図１１】実施の形態１における血圧測定装置に採用されるカフおよびカフ巻付機構の巻付け動作を説明するための第３斜視図である。
【図１２】実施の形態１における血圧測定装置に採用されるカフおよびカフ巻付機構の巻付け動作を説明するための第４平面図である。
【図１３】実施の形態１における血圧測定装置に採用されるカフおよびカフ巻付機構の巻付け動作を説明するための第４斜視図である。
【図１４】実施の形態２における血圧測定装置のカフの他端とスライド移動機構との連結部を示す部分拡大平面図である。
【図１５】実施の形態２における血圧測定装置のカフの他端とスライド移動機構との連結部を示す部分拡大断面図である。
【図１６】実施の形態３における血圧測定装置のカフの他端側に設けられる係合孔の形状を示す平面図および動作原理を説明する第１図である。
【図１７】実施の形態３における血圧測定装置のカフの他端側に設けられる係合孔の動作原理を説明する第２図である。
【図１８】実施の形態３における血圧測定装置のカフの他端側に設けられる係合孔の動作原理を説明する第３図である。
【図１９】実施の形態３における血圧測定装置のカフの他端側に設けられる係合孔の動作原理を説明する第４図である。
【図２０】実施の形態３における血圧測定装置のカフの他端側に設けられる係合孔の他の形態を示す平面図である。
【図２１】実施の形態３における血圧測定装置のカフの他端側に設けられる係合孔の他の形態を示す平面図である。
【図２２】実施の形態３における血圧測定装置のカフの他端側に設けられる係合孔の他の形態を示す平面図である。
【図２３】実施の形態４における血圧測定装置のカフの他端とスライド移動機構との連結部を示す部分拡大平面図である。
【図２４】実施の形態４における血圧測定装置のカフの他端とスライド移動機構との連結部を示す部分拡大断面図である。
【符号の説明】
【００７０】
１  本体、２  表示部、３  上腕挿入部、４  プリンタ部、１０  上腕、３０  開口部、１００，３００，５００，６００  カフ、１０１，３０１，５０１，６０１  カフ本体部、１００Ａ  一端、１００Ｂ，３００Ｂ，５００Ｂ，６００Ｂ  他端、１１０，４１０，５１０,７１０  係合孔、１１０ａ，４１０ａ，５１０ａ，５１０ｄ，７１０ａ，７１０ｄ  当接面、２００，４００，７００  スライド移動機構、２０１，３０２，６０２  ピン、２０１ａ  軸部、２０１ｂ  フランジ、２０２，４０２，７０２  ベース部材、２０３，４０３，７０３  スライダ、２０４，４０４，７０４  駆動装置、４０５，７０５  プレート、５１０ｂ  湾曲部、５１０ｃ  円弧部、ＳＩ  固定領域、Ｍ  被験者。
【図１】
2010035696.tif 000003
【図２】
2010035696.tif 000004
【図３】
2010035696.tif 000005
【図４】
2010035696.tif 000006
【図５】
2010035696.tif 000007
【図６】
2010035696.tif 000008
【図７】
2010035696.tif 000009
【図８】
2010035696.tif 000010
【図９】
2010035696.tif 000011
【図１０】
2010035696.tif 000012
【図１１】
2010035696.tif 000013
【図１２】
2010035696.tif 000014
【図１３】
2010035696.tif 000015
【図１４】
2010035696.tif 000016
【図１５】
2010035696.tif 000017
【図１６】
2010035696.tif 000018
【図１７】
2010035696.tif 000019
【図１８】
2010035696.tif 000020
【図１９】
2010035696.tif 000021
【図２０】
2010035696.tif 000022
【図２１】
2010035696.tif 000023
【図２２】
2010035696.tif 000024
【図２３】
2010035696.tif 000025
【図２４】
2010035696.tif 000026